(57)【要約】【課題】釣竿支持部における着脱嵌合部分のガタつきを抑制できる釣竿支持装置を提供する。【解決手段】本発明の一実施形態に係る釣竿支持装置は、釣竿を着脱自在に緊締固定するヘッド部１５ａと、ヘッド部１５ａを着脱自在に受ける受け部１５と、ヘッド部１５ａを受け部１５に対して係脱自在に係止させるための係止手段と、係止手段によって受け部１５にヘッド部１５ａが係止された状態で受け部１５に対するヘッド部１５ａのガタつきを抑制するガタつき抑制手段を構成する切り欠き８２とを有する。【選択図】図２
2011072273.tif 000002
【特許請求の範囲】
【請求項１】
所定の取付対象物に対して取り付け可能な基体と、該基体に装着され且つ釣竿を支持するための釣竿支持部とを有する釣竿支持装置において、
前記釣竿支持部は、釣竿を着脱自在に緊締固定するヘッド部と、前記基体側に固定され且つ前記ヘッド部を着脱自在に受ける受け部と、ヘッド部を受け部に対して係脱自在に係止させるための係止手段と、係止手段によって受け部にヘッド部が係止された状態で受け部に対するヘッド部のガタつきを抑制するガタつき抑制手段とを有することを特徴とする釣竿支持装置。
【請求項２】
前記ガタつき抑制手段は、ヘッド部と受け部との凹凸嵌合によって受け部に対するヘッド部の回転方向のガタつきを抑制することを特徴とする請求項１に記載の釣竿支持装置。
【請求項３】
前記ガタつき抑制手段は、前記受け部に設けられた前記係止手段に対して前記ヘッド部を突き当てることにより受け部に対するヘッド部の鉛直方向のガタつきを抑制することを特徴とする請求項１または請求項２に記載の釣竿支持装置。
【発明の詳細な説明】
【技術分野】
【０００１】
本発明は、船縁等の所定の取付対象物に対して取り付け可能な釣竿支持装置に関する。
【背景技術】
【０００２】
一般的に、船釣りをする際、釣竿を支持するための釣竿支持装置を船縁に装着することが行われている。従来の船縁に取り付け可能な釣竿支持装置は、コの字状の基体と、この基体に取り付けた釣竿支持部とを有しており、万力等のクランプ装置で基体を船縁に取り付け、魚のあたりを待つ間、釣竿支持部に釣竿を支持させている（例えば、特許文献１および特許文献２参照）。
【先行技術文献】
【特許文献】
【０００３】
【特許文献１】実公平６−３１９０５号公報
【特許文献２】実公平６−１６５１９号公報
【発明の概要】
【発明が解決しようとする課題】
【０００４】
ところで、従来の釣竿支持装置、例えば特許文献１に開示される釣竿支持具は、釣竿を着脱自在に緊締固定する円筒状のシリンダ部と、基体側に固定された円柱状のピストン部とを有しており、釣竿支持具に釣竿をセットする（支持させる）際には、シリンダ部がピストン部に回動自在に挿入嵌合されて、シリンダ部の内側に突出する爪部がピストン部の凹溝に係止される。
【０００５】
しかしながら、このセット状態（係止状態）では、シリンダ部とピストン部との間に隙間が存在しており、その隙間に起因してシリンダ部がピストン部に対してガタつき、したがって、セットされた釣竿がガタついて、釣人に不快感を与える場合がある。また、このガタつきに伴ない、急な負荷が加わった際に釣竿が釣竿支持具から外れてしまうといった事態も懸念される。更に、シリンダ部がピストン部に対して回動自在であることから、実釣中に掛かった魚が急に横走りしたときなど、釣竿支持具に支持された釣り竿に横方向の負荷が加わった際に、シリンダ部がピストン部に対して回動して、釣竿が基体の竿受けから外れてしまう場合もある。すなわち、シリンダ部がピストン部に対して回動すると、釣竿が釣竿支持具のＹ字型の竿掛け部を乗り上げようとするため、シリンダ部がピストン部から抜ける方向に負荷がかかる。そのため、前述したようにガタが存在すると、それが抜け方向で強い衝撃となり、釣竿が基体の竿受けから外れてしまう場合もある。
【０００６】
本発明は、前記事情に着目してなされたものであり、その目的とするところは、釣竿支持部における着脱嵌合部分のガタつきを抑制できる釣竿支持装置を提供することにある。
【課題を解決するための手段】
【０００７】
前記課題を解決するために、請求項１に記載の発明は、所定の取付対象物に対して取り付け可能な基体と、該基体に装着され且つ釣竿を支持するための釣竿支持部とを有する釣竿支持装置において、前記釣竿支持部は、釣竿を着脱自在に緊締固定するヘッド部と、前記基体側に固定され且つ前記ヘッド部を着脱自在に受ける受け部と、ヘッド部を受け部に対して係脱自在に係止させるための係止手段と、係止手段によって受け部にヘッド部が係止された状態で受け部に対するヘッド部のガタつきを抑制するガタつき抑制手段とを有することを特徴とする。
【０００８】
この請求項１に記載の発明によれば、係止手段によって受け部にヘッド部が係止された状態で受け部に対するヘッド部のガタつきを抑制するガタつき抑制手段が設けられているため、すなわち、釣竿を釣竿支持装置によって支持している状態で釣竿支持部における着脱嵌合部分のガタつきを抑制できるため、釣竿操作時における不快感を無くすことができ、また、ガタつきに伴なって急な負荷が加わった際に釣竿が釣竿支持具から不用意に外れてしまうといった事態も防止できる。
【０００９】
また、請求項２に記載の発明は、請求項１に記載の発明において、前記ガタつき抑制手段は、ヘッド部と受け部との凹凸嵌合によって受け部に対するヘッド部の回転方向のガタつきを抑制することを特徴とする。
【００１０】
この請求項２に記載の発明によれば、請求項１に記載の発明と同様の作用効果が得られるとともに、ガタつき抑制手段が受け部に対するヘッド部の回転方向のガタつきを抑制するため、実釣中に掛かった魚が急に横走りしたときなど、釣竿支持装置に支持された釣り竿に横方向の負荷が加わった際に、ヘッド部が受け部に対して回動して釣竿が基体の竿受けから外れてしまうといった事態を回避できる。すなわち、シリンダ部がピストン部に対して回動すると、前述したように釣竿が釣竿支持装置のＹ字型の竿掛け部を乗り上げようとするため、シリンダ部がピストン部から抜ける方向に負荷がかかるが、本構成のように回転方向のガタが抑制されれば、抜ける方向で強い衝撃が作用しないため、釣竿が基体の竿受けから外れてしまうといった事態を回避できる。
また、ガタつき抑制手段が凹凸嵌合であるため、簡単な構成で効果的に回転方向のガタを抑制できる。
【００１１】
また、請求項３に記載の発明は、請求項１または請求項２に記載の発明において、前記ガタつき抑制手段は、前記受け部に設けられた前記係止手段に対して前記ヘッド部を突き当てることにより受け部に対するヘッド部の鉛直方向のガタつきを抑制することを特徴とする。
【００１２】
この請求項３に記載の発明によれば、請求項１または請求項２に記載の発明と同様の作用効果が得られるとともに、受け部に設けられた係止手段に対してヘッド部を突き当てることにより、すなわち、既存の係止手段およびヘッド部を効率的に利用して、鉛直方向のガタを抑制するため、最小限の部品点数による効果的なガタつき抑制を実現できる。
【発明の効果】
【００１３】
本発明によれば、釣竿支持部における着脱嵌合部分のガタつきを抑制できる釣竿支持装置を提供できる。
【図面の簡単な説明】
【００１４】
【図１】船縁に取り付けた釣竿支持装置の全体構成を示す図である。
【図２】本発明の第１の実施形態に係るガタつき抑制手段を伴なうヘッド部および受け部の分解斜視図である。
【図３】（ａ）は本発明の第２の実施形態に係るガタつき抑制手段を伴なうヘッド部および受け部の分解斜視図、（ｂ）は（ａ）の一部断面を有する正面図、（ｃ）はヘッド部に装着される位置決めリングの断面図である。
【図４】本発明の第３の実施形態に係るガタつき抑制手段を伴なう釣竿支持装置の要部の内部構造を概略的に示す断面斜視図である。
【図５】本発明の第３の実施形態に係るガタつき抑制手段を伴なう釣竿支持装置の要部の斜視図である。
【図６】本発明の第３の実施形態に係るガタつき抑制手段を伴なう釣竿支持装置の作用図であり、（ａ）はガタつき抑制手段の筒体を下げた状態、（ｂ）はガタつき抑制手段の筒体を上げた状態の図である。
【発明を実施するための形態】
【００１５】
以下、添付図面を参照して、本発明の実施形態について説明する。  
図１および図２は本発明の第１の実施形態を示している。図１に示されるように、本実施形態の釣竿支持装置１は、取付対象物としての例えば船縁５０に取り付けられるように構成されており、実際に船縁５０に取り付けて固定される基体２と、基体２に装着され且つ釣竿１６０を支持する釣竿支持部１０とを備えて構成されている。
【００１６】
船縁５０は、船によって、或いは着座する位置によって形状が異なっており、図１に示すように水平方向の張出部５０ａがあれば、釣竿支持装置１は、後述するクランプ機構を上下方向に締め付けて取り付け、一方、水平方向の張出部５０ａがない場合や短い形状であれば、同クランプ機構を水平方向に締め付けて取り付けできる。
【００１７】
基体２は、縦フレーム２Ａと、横フレーム２Ｂと、クランプ支持フレーム２Ｃとを具備したコの字状に形成されており、クランプ支持フレーム２Ｃに装着（螺着）されたクランプ機構３を締め付けることで、基体２を船縁５０に締め付け、取り付けすることが可能となっている。このクランプ機構３は、公知の構成であり、縦フレーム２Ａと平行に延在するシャフト３ａの下端に装着された操作レバー３ｂを回転することで、シャフト３ａの上端の押圧部３ｃを横フレーム２Ｂに向けて進退させ、基体２を船縁５０の張出部５０ａや、船縁５０の側壁５０ｂに対して締め付け、取り付けすることが可能となる。
【００１８】
基体２の横フレーム２Ｂの上面には釣竿支持部１０が取り付けられている。この釣竿支持部１０は、基体２から取り外すことなく或いは取り外して、縦フレーム２Ａの上面に移動させて取り付けすることが可能となっている。
【００１９】
釣竿支持部１０は、釣竿１６０が載置されるＹ字状の竿掛け部１２と、釣竿１６０を着脱自在に緊締固定する釣竿緊締具としてのヘッド部１５ａと、ヘッド部１５ａを着脱自在に受ける筒状の受け部１５と、これら竿掛け部１２と受け部１５とを支持する台座１７（この台座１７により受け部１５が基体２側に固定される）とを有している。
【００２０】
竿掛け部１２は、台座１７に対して支軸２９を中心に上下に揺動してその位置を上下方向で調整可能に構成されている。また、受け部１５は、前述したように、台座１７に対して取り付けられており、釣竿１６０の元竿に取着されるヘッド部１５ａを着脱可能にしている。この場合、公知のように、操作レバー１５ｂを操作することで、受け部１５に対してヘッド部１５ａを着脱できるようになっている。具体的には、図２および後述する図４にも示されるように、ヘッド部１５ａは、受け部１５の装着空間３４内に嵌挿される嵌挿部の外周に環状の凹溝３０を有している。また、受け部１５は、枢軸３１，３２を介して受け部１５および係止体３３に回動可能に取り付けられる操作レバー１５ｂを有しており、操作レバー１５ｂの回動操作によって係止体３３を受け部１５の側孔４３内で例えばスライドさせて係止体３３を受け部１５の装着空間３４に対して突没させることにより、係止体３３をヘッド部１５ａの凹溝３０に係止させることができるようになっている。そして、凹溝３０と係止体３３との係止により、ヘッド部１５ａが受け部１５に対して装着固定され、受け部１５を介して釣竿１６０が釣竿支持装置１に支持される。つまり、本実施形態において、操作レバー１５ｂ、係止体３３、側孔４３、枢軸３１，３２は、操作レバー１５ｂの動きによって移動する係止体３３をヘッド部１５ａに係止させることによりヘッド部１５ａを受け部１５に対して係脱自在に係止させるための係止手段６０を構成している。
【００２１】
また、本実施形態の釣竿支持装置１は、係止手段６０によって受け部１５にヘッド部１５ａが係止された状態で受け部１５に対するヘッド部１５ａのガタつきを抑制するガタつき抑制手段を有している。具体的に、本実施形態において、このガタつき抑制手段は、筒状の受け部１５の上端縁に形成された凹状の切り欠き８２と、ヘッド部１５ａの両側にその径方向に張り出すように設けられ且つ切り欠き８２に係脱可能に係合する或いは切り欠き８２に入り込んでその端壁に当てつくフランジ部４０とから成る。図示の切り欠き８２は、フランジ４０の外形よりも大きく切り欠かれており、フランジ４０が切り欠き８２に入り込んでその端壁に当てつくように形成されているが、切り欠き８２がフランジ４０の外形に適合する形状を成し、フランジ４０が切り欠き８２に嵌合するようになっていてもよい。いずれにしろ、前述したように係止手段６０を介してヘッド部１５ａが受け部１５に対して装着固定された状態で、受け部１５の上端縁の切り欠き８２は、図２に二点鎖線で示されるようにヘッド部１５ａのフランジ４０を凹凸嵌合によって受けて、その端壁によりヘッド部１５ａの回転方向の動きを規制する（回転方向のガタつきを抑制する）。
【００２２】
以上説明したように、本実施形態によれば、係止手段６０によって受け部１５にヘッド部１５ａが係止された状態で受け部１５に対するヘッド部１５ａのガタつきを抑制するガタつき抑制手段が設けられているため、釣竿操作時における不快感を無くすことができ、また、ガタつきに伴なって急な負荷が加わった際に釣竿１６０が釣竿支持具１から外れてしまうといった事態も防止できる。特に、本実施形態では、ガタつき抑制手段である切り欠き８２とフランジ４０との係合が受け部１５に対するヘッド部１５ａの回転方向のガタつきを抑制するため、実釣中に掛かった魚が急に横走りしたときなど、釣竿支持装置１に支持された釣竿１６０に横方向の負荷が加わった際に、ヘッド部１５ａが受け部１５に対して回動して釣竿１６０が基体の竿受けから不用意に外れてしまうといった事態を回避できる。また、ガタつき抑制手段が凹凸嵌合であるため、簡単な構成で効果的に回転方向のガタを抑制できる。
【００２３】
図３は本発明の第２の実施形態を示している。前述した第１の実施形態では、ヘッド部１５ａのフランジ４０が受け部１５の切り欠き８２に凹凸嵌合することで回転方向のガタつきが抑制されたが、本実施形態では、ヘッド部１５ａに別体で装着された位置決めリング２６０が受け部１５の上縁部の凹状の切り欠き８３に嵌合することにより回転方向のガタつきが抑制される。すなわち、位置決めリング２６０と切り欠き８３とによってガタつき抑制手段が構成される。
【００２４】
具体的には、位置決めリング２６０は、ヘッド部１５ａの凹溝３０よりも上側の部位に装着されており、リング本体から部分的に突没自在な凸状部６２を有する。なお、この位置決めリング２６０は、リング本体内に設けられた付勢バネ６５により、ヘッド部１５ａの凹溝３０側（ヘッド部１５ａの軸方向下側）へ向けて突出するように常時付勢されている。
【００２５】
また、位置決めリング２６０は、図３の（ｃ）に示されるように、その内側に例えば周方向に１８０度離間して設けられた一対の係止片６９，６９を有しており、これらの係止片６９，６９がヘッド部１５ａの外周面に形成された凹部（図示せず）に係止することにより、ヘッド部１５ａに対する位置決めリング２６０の回転が規制されるようになっている。すなわち、本実施形態において、位置決めリング２６０は、ヘッド部１５ａに対して回転不能に装着されている。
【００２６】
このような構成では、前述したように係止手段６０を介してヘッド部１５ａが受け部１５に対して装着固定された状態で、受け部１５の上端縁の切り欠き８３は、図３の（ｂ）に二点鎖線で示されるようにヘッド部１５ａの位置決めリング２６０の凸状部６２を凹凸嵌合によって受けて、ヘッド部１５ａの回転方向の動きを規制する（回転方向のガタつきを抑制する）。この場合、位置決めリング２６０の凸状部６２が受け部１５の切り欠き８３に嵌り込むようにヘッド部１５ａを受け部１５に対して注意深く挿入しても良いが、そのような注意深い挿入動作を行わなくても、位置決めリング２６０が受け部１５の上縁部に当て付いた時点でヘッド部１５ａを回転させて凸状部６２を切り欠き８３に対向するように合わせれば、付勢バネ６５の付勢力により自動的に凸状部６２が切り欠き８３に嵌り込み、受け部１５に対するヘッド部１５ａの位置決めがなされ、受け部１５に対するヘッド部１５ａの回転が規制される。
【００２７】
図４〜図６は本発明の第３の実施形態を示している。前述した第１および第２の実施形態では、受け部１５に対するヘッド部１５ａの回転方向のガタつきが抑制されたが、本実施形態では、回転方向のガタつきに加えて、受け部１５に対するヘッド部１５ａの鉛直方向のガタつきも抑制される。
【００２８】
本実施形態においても、受け部１５に対するヘッド部１５ａの回転方向のガタつきは、第１の実施形態と同様、ヘッド部１５ａのフランジ４０が切り欠きに凹凸嵌合することで抑制されるが、受け部１５に対するヘッド部１５ａの鉛直方向のガタつきは、受け部１５に設けられた係止手段６０の係止体３３に対してヘッド部１５ａを突き当てることにより抑制される。
【００２９】
具体的には、図４および図５に示されるように、受け部１５の外周には筒体１５０が上下方向にスライド自在に同軸的に外嵌されている。受け部１５および筒体１５０は、例えば、受け部の外周面と筒体の内周面とを非円形嵌合したり或いは受け部１５の外周面および筒体１５０の内周面に上下方向に延びるキー溝およびキーを設けてこれらを互いに係合することにより、互いに回転不能に嵌着される。なお、筒体１５０の上端縁には、第１の実施形態の切り欠き８２と同様の形態で切り欠き５９が形成されている。
【００３０】
また、受け部１５の外周面の下部には雄ネジが形成されており、この雄ネジには、操作ノブ５２ａを有する雌ネジ付きの昇降リング５２が螺着されている。そして、この昇降リング５２上に前記筒体１５０が昇降可能に載置された状態となっている。
【００３１】
したがって、このような構成では、まず、受け部１５の装着空間３４内にヘッド部１５ａを嵌挿し、操作レバー１５ｂの操作によりヘッド部１５ａの凹溝３０に係止体３３を係止させると、図６の（ｂ）に示されるように、受け部１５に対してヘッド部１５ａが装着固定される。このとき、筒体１５０の上端縁の切り欠き５９は、図５に示されるようにヘッド部１５ａのフランジ４０を凹凸嵌合によって受けて、その端壁によりヘッド部１５ａの回転方向の動きを規制する（回転方向のガタつきを抑制する）。また、この状態では、係止体３３とヘッド部１５ａの凹溝３０の底面３０ａとの間に隙間Ｓが存在し、したがって、受け部１５とヘッド部１５ａとの間に鉛直方向のガタが存在する。しかしながら、この図６の（ｂ）の状態から、操作ノブ５２ａを把持して昇降リング５２を回転させて、筒体１５０を受け部１５に対して上昇させると、図６の（ａ）に示されるように、筒体１５０によってヘッド部１５ａが持ち上げられ、ヘッド部１５ａの凹溝３０の底面３０ａが係止体３３の下面に当てついて隙間Ｓが埋められる。すなわち、受け部１５に対するヘッド部１５ａの鉛直方向のガタつきが防止される。つまり、本実施形態では、筒体１５０が、回転方向のガタつき及び鉛直方向のガタつきの両方を抑制するガタつき抑制手段を構成する。なお、本実施形態では、筒体１５０を上昇させない図６の（ｂ）の時点で切り欠き５９とフランジ４０とが係合せず、筒体１５０を上昇させた時点で初めて切り欠き５９とフランジ４０とが係合するようになっていても構わない。
【００３２】
以上説明したように、本実施形態によれば、第１の実施形態と同様の作用効果が得られるとともに、受け部１５に設けられた係止手段６０の係止体３３に対してヘッド部１５ａを突き当てることにより、すなわち、既存の係止手段６０およびヘッド部１５ａを効率的に利用して、鉛直方向のガタを抑制するため、最小限の部品点数による効果的なガタつき抑制を実現できる。
【符号の説明】
【００３３】
１  釣竿支持装置
２  基体
１０  釣竿支持部
１５  ヘッド部
１５ａ  受け部
８２，５９，８３  切り欠き（ガタつき抑制手段）
３３  係止体
４０  フランジ（ガタつき抑制手段）
１５０  筒体（ガタつき抑制手段）
６０  係止手段
６２  凸状部（ガタつき抑制手段）
【図１】
2011072273.tif 000003
【図２】
2011072273.tif 000004
【図３】
2011072273.tif 000005
【図４】
2011072273.tif 000006
【図５】
2011072273.tif 000007
【図６】
2011072273.tif 000008